(57)【要約】【課題】  表示画像の上下及び／又は左右を反転させても、データ線ドライバのシフトレジストを双方向駆動する必要のない電気光学装置を提供すること。【解決手段】  第１画面２４内にて、複数の第１データ線３２Ａを、第１スタートパルスＸＳＰ１を転送する第１シフトレジスタ１００からの出力に基づいて第１データ線ドライバ６０により駆動し、第２画面２４内にて、複数の第２データ線を、第２スタートパルスＸＳＰ２を転送する第２シフトレジスタ１１０からの出力に基づいて第２データ線ドライバ６２により駆動し、第１シフトレジスタ６０が第１スタートパルスＸＳＰ１を第１転送方向Ｘ１（又は第２転送方向Ｘ２）に沿って転送するときには、第２シフトレジスタ６２は第２スタートパルスＸＳＰ２を第３転送方向Ｘ３（又は第４転送方向Ｘ４）に沿って転送して、境界線２２を境にして、第１，第２シフトレジスタ６０，６２にて第１，第２スタートパルスの転送方向を線対称にして転送駆動する。【選択図】      図１
2008151824.tif 000002
【特許請求の範囲】
【請求項１】
境界線を境にして第１画面と第２画面とに分割された画面の前記第１画面内にて、前記境界線と平行な複数の第１データ線を、第１スタートパルスを転送する第１シフトレジスタからの出力に基づいて、第１データ線ドライバにより駆動し、
前記第２画面内にて、前記境界線と平行な複数の第２データ線を、第２スタートパルスを転送する第２シフトレジスタからの出力に基づいて、第２データ線ドライバにより駆動し、
前記第１，第２シフトレジスタは、前記境界線を境にして、前記第１，第２スタートパルスの転送方向を線対称にして転送駆動することを特徴とする電気光学装置の駆動方法。
【請求項２】
請求項１において、
前記第１画面にて前記境界線と平行な第１側辺から前記境界線に向かう方向を第１転送方向とし、前記境界線から前記第１側辺に向かう方向を第２転送方向とし、前記第２画面にて前記境界線と平行な第２側辺から前記境界線に向かう方向を第３転送方向とし、前記境界線から前記第２側辺に向かう方向を第４転送方向としたとき、
前記第１シフトレジスタが前記第１スタートパルスを前記第１転送方向に沿って転送するときには、前記第２シフトレジスタは前記第２スタートパルスを前記３転送方向に沿って転送し、あるいは、前記第１シフトレジスタが前記第１スタートパルスを前記第２転送方向に沿って転送するときには、前記第２シフトレジスタは前記第２スタートパルスを前記４走査方向に沿って転送することを特徴とする電気光学装置の駆動方法。
【請求項３】
請求項２において、
前記第１データ線ドライバは、前記第１画面を前記第１転送方向と同じ向きの第１走査方向に沿って、一画素毎または複数画素毎に順次駆動するときには、前記第２画面を前記第３転送方向と同じ向きの第３走査方向に沿って、一画素毎または複数画素毎に順次駆動し、あるいは、前記第１画面を前記第２転送方向と同じ向きの第２走査方向に沿って、一画素毎または複数画素毎に順次駆動するときには、前記第２画面を前記第４転送方向と同じ向きの第４走査方向に沿って、一画素毎または複数画素毎に順次駆動して、前記境界線を境にして、前記第１，第２画面の走査方向を線対称にして走査駆動することを特徴とする電気光学装置の駆動方法。
【請求項４】
請求項２または３において、
前記第１シフトレジスタは前記第１，第２転送方向の一方に固定され、前記第２シフトレジスタは前記第３，第４転送方向の一方に固定されていることを特徴とする電気光学装置の駆動方法。
【請求項５】
各画素に電気光学素子を有し、境界線を境にして第１画面と第２画面とに分割された画面と、
前記第１画面内にて前記境界線と平行な複数の第１データ線を駆動する第１データ線ドライバと、
前記第２画面内にて前記境界線と平行な複数の第２データ線を駆動する第２データ線ドライバと、
を有し、
前記第１データ線ドライバは、第１スタートパルスを転送する第１シフトレジスタを有し、
前記第２データ線ドライバは、第２スタートパルスを転送する第２シフトレジスタを有し、
前記第１，第２シフトレジスタは、前記境界線を境にして、前記第１，第２スタートパルスの転送方向を線対称にして転送駆動することを特徴とする電気光学装置。
【請求項６】
請求項５において、
前記第１画面にて前記境界線と平行な第１側辺から前記境界線に向かう方向を第１転送方向とし、前記境界線から前記第１側辺に向かう方向を第２転送方向とし、前記第２画面にて前記境界線と平行な第２側辺から前記境界線に向かう方向を第３転送方向とし、前記境界線から前記第２側辺に向かう方向を第４転送方向としたとき、
前記第１シフトレジスタが前記第１スタートパルスを前記第１転送方向に沿って転送するときには、前記第２シフトレジスタは前記第２スタートパルスを前記３転送方向に沿って転送し、あるいは、前記第１シフトレジスタが前記第１スタートパルスを前記第２転送方向に沿って転送するときには、前記第２シフトレジスタは前記第２スタートパルスを前記４走査方向に沿って転送して、前記境界線を境にして、前記第１，第２シフトレジスタにて前記第１，第２スタートパルスの転送方向を線対称にして転送駆動することを特徴とする電気光学装置。
【請求項７】
請求項６において、
前記画面及び前記第１，第２データ線ドライバが搭載される基板を有し、
前記基板は、
前記第１シフトレジスタの出力に基づいてデータをサンプリングする複数の第１サンプリングスイッチと、
前記第２シフトレジスタの出力に基づいてデータをサンプリングする複数の第２サンプリングスイッチと、
前記第１サンプリングスイッチに供給されるデータが入力される第１データ端子群と、
前記第２サンプリングスイッチに供給されるデータが入力される第２データ端子群と、
前記第１データ端子群から前記第１シフトレジスタを迂回して前記第１サンプリングスイッチに引き回された第１データ配線パターンと、
前記第２データ端子群から前記第２シフトレジスタを迂回して前記第２サンプリングスイッチに引き回された第２データ配線パターンと、
を有することを特徴とする電気光学装置。
【請求項８】
請求項７において、
前記第１データ配線パターンは、
前記第１データ端子群に接続された第１データ配線群を直交変換する第１直交変換領域と、
前記第１直交変換領域に接続され、前記基板の一辺と前記第１シフトレジスタとの間にて、前記第１データ配線群を前記境界線と平行に延在させる第１縦配列領域と、
前記第１縦配列領域に接続され、前記データ配線郡を前記複数の第１サンプリングスイッチに沿って延在させる第１横配列領域と、
を有し、
前記第２データ配線パターンは、
前記第２データ端子群に接続された第２データ配線群を直交変換する第２直交変換領域と、
前記第２直交変換領域に接続され、前記基板の前記一辺に平行な他辺と前記第２シフトレジスタとの間にて、前記第２データ配線群を前記境界線と平行に延在させる第２縦配列領域と、
前記第２縦配列領域に接続され、前記データ配線群を前記複数の第２サンプリングスイッチに沿って延在させる第２横配列領域と、
を有することを特徴とする電気光学装置。
【請求項９】
請求項８において、
前記第１シフトレジスタは、前記第１スタートパルスの転送方向が前記第１，第２転送方向の一方に固定され、前記第２シフトレジスタは、前記第２スタートパルスの転送方向が前記第３，第４転送方向の一方に固定されていることを特徴とする電気光学装置。
【請求項１０】
請求項９において、
前記第１シフトレジスタは、前記第１スタートパルスの転送方向が前記第２転送方向に固定され、前記第２シフトレジスタは、前記第２スタートパルスの転送方向が前記第４転送方向に固定されていることを特徴とする電気光学装置。
【請求項１１】
請求項１０において、
前記第１，第２スタートパルスとして同相パルスを兼用したことを特徴とする電気光学装置。
【請求項１２】
請求項７乃至１１のいずれかにおいて、
前記第１，第２データ端子群にそれぞれ供給されるデータは、データがシリアル−パラレル変換された後のＮ（Ｎは２以上の整数）個のパラレルデータであることを特徴とする電気光学装置。
【請求項１３】
請求項１２において、
前記第１，第２画面の各１フィールドが時間軸上で複数のサブフィールドに分割され、
前記第１，第２データ端子群に供給されるデータは、前記１フィールド中に前記電気光学素子に印加される電圧パルスの印加時間を制御して階調駆動するためのデジタルデータであることを特徴とする電気光学装置。
【請求項１４】
請求項１３において、
前記第１データ線ドライバは、前記第１サンプリングスイッチと、その出力をラッチするラッチ素子とを含む第１ラッチを有し、
前記第２データ線ドライバは、前記第２サンプリングスイッチと、その出力をラッチするラッチ素子とを含む第２ラッチを有し、
前記第１，第２ラッチの各々は、Ｍ（Ｍは２以上の整数）回に分けて順次入力される各Ｎ個の前記パラレルデータを、Ｍ回の各回毎にラッチすることを特徴とする電気光学装置。
【請求項１５】
請求項１４において、
前記第１ラッチに接続され、Ｎ個ずつＭ回に分けて前記第１ラッチにてラッチされた計（Ｎ×Ｍ）個のデータを、一度に同時にラッチする第３ラッチと、
前記第２ラッチに接続され、Ｎ個ずつＭ回に分けて前記第２ラッチにてラッチされた計（Ｎ×Ｍ）個のデータを、一度に同時にラッチする第４ラッチと、
をさらに有することを特徴とする電気光学装置。
【請求項１６】
請求項１２において、
前記Ｎ個のパラレルデータはアナログデータであることを特徴とする電気光学装置。
【請求項１７】
請求項５乃至１６のいずれかに記載の電気光学装置を有する電子機器。
【発明の詳細な説明】
【技術分野】
【０００１】
本発明は、境界線を挟んで画面を分割して駆動する電気光学装置及びその駆動方法並びに電子機器に関する。
【背景技術】
【０００２】
従来の電気光学装置、例えば、アクティブマトリクス方式の液晶表示装置は、主に、マトリクス状に配列した画素電極の各々にスイッチング素子が設けられた素子基板と、カラーフィルタなどが形成された対向基板と、これら両基板との間に充填された液晶とから構成される。このような構成において、走査線を介してスイッチング素子に走査信号を印加すると、当該スイッチング素子が導通状態となる。この導通状態の際に、データ線を介して、画素電極に画像信号を印加すると、当該画素電極および対向電極（共通電極）の間の液晶層に所定の電荷が蓄積される。電荷蓄積後、当該スイッチング素子をオフ状態としても、液晶層の抵抗が十分に高ければ、当該液晶層における電荷の蓄積が維持される。このように、各スイッチング素子を駆動して蓄積させる電荷の量を制御すると、画素毎に液晶の配向状態が変化して、所定の情報を表示することが可能となる。
【０００３】
この際、各画素の液晶層に電荷を蓄積させるのは一部の期間で良いため、第１に、走査線駆動回路によって、各走査線を順次選択するとともに、第２に、走査線の選択期間において、データ線駆動回路によって、１本または複数本のデータ線を順次選択し、第３に、選択されたデータ線に画像信号をサンプリングして供給する構成により、走査線およびデータ線を複数の画素について共通化した時分割マルチプレックス駆動が可能となる。
【０００４】
ここで、走査線駆動回路やデータ線駆動回路は、一般的には、それぞれシフトレジスタ回路からなり、これらの各シフトレジスタ回路によって転送される信号に基づいて、走査線駆動回路が垂直走査を行う一方、データ線駆動回路が水平走査を行う構成となっている。
【０００５】
ところで、近年、電気光学装置においては、プロジェクタや携帯型ビデオのモニタなどに適用するために、必要に応じて表示画像の上下及び／又は左右を反転させるモードを持たせる場合がある。このような場合、走査線駆動回路およびデータ線駆動回路として、それぞれ双方向に転送可能なシフトレジスタ回路を用いて、モードに応じて転送方向を規定する構成が一般的となっている（特許文献１）。
【０００６】
また、一画面を複数に分割して駆動する液晶表示装置も提案されている（特許文献２−５）。
【特許文献１】特開２０００−２３５３７２号公報
【特許文献２】特開昭６３−０１１９１２号公報
【特許文献３】特開平０３−２１７９５９号公報
【特許文献４】特開平０６−１３８８３９号公報
【特許文献５】特開２００３−１３１６４３号公報
【発明の開示】
【発明が解決しようとする課題】
【０００７】
特許文献１のように双方向に転送可能なシフトレジスタ回路では、単方向のみに転送可能なシフトレジスタ回路と比較すると、ゲート数が多数になるので、回路面積が増大する。その上、転送信号を入力するゲート容量が増加する。このため、ゲート容量の増加分だけ、電力が余計に消費されてしまう、という問題がある。
【０００８】
また、一画面を複数に分割して駆動する場合、例えば特許文献２のように上側と下側とで走査線を分割（縦分割という）した場合には、上下画面の境目に輝度差が生ずるという不具合がある。
【０００９】
本発明が問題視しているのは、一画面を例えば左右のデータ線領域毎に分割（横分割という）した場合であり、この場合には左右画面の境界に輝度差が生ずるという不具合がある。
【００１０】
特に横分割の場合、左右画面の一走査線上の全画素に同時にデータを供給する線順次駆動では、この種の輝度差の悪影響は少ない。
【００１１】
しかし、横分割の場合であって、各画面にて、一走査線上の全画素を一つずつ端部から順にデータ供給する点順次駆動の場合に上述の輝度差が顕著である。同じく、相展開（詳細は後述する）数と同数の複数の画素を一ブロックとして、各画面にて、ブロック毎に端部から順次データ供給するブロック順次駆動の場合もまた、上述の輝度差は顕著となる。
【００１２】
さらに他の問題として、基板上の画面以外の額縁領域を縮小する要求が強い。
【００１３】
そこで、本発明の目的は、表示画像の上下及び／又は左右を反転させても、データ線ドライバのシフトレジストを双方向駆動する必要のない電気光学装置及びその駆動方法並びに電子機器を提供することにある。
【００１４】
本発明の他の目的は、一画面内のデータ線を複数に分割して駆動しても、分割画面の境界線に生ずる輝度差を低減できる電気光学装置及びその駆動方法並びに電子機器を提供することにある。
【００１５】
本発明のさらに他の目的は、基板上の画面以外の額縁領域を縮小できる電気光学装置及び電子機器を提供することにある。
【課題を解決するための手段】
【００１６】
本発明の一態様に係る電気光学装置の駆動方法は、境界線を境にして第１画面と第２画面とに分割された画面の前記第１画面内にて、前記境界線と平行な複数の第１データ線を、第１スタートパルスを転送する第１シフトレジスタからの出力に基づいて、第１データ線ドライバにより駆動し、
前記第２画面内にて、前記境界線と平行な複数の第２データ線を、第２スタートパルスを転送する第２シフトレジスタからの出力に基づいて、第２データ線ドライバにより駆動し、
前記第１，第２シフトレジスタは、前記境界線を境にして、前記第１，第２スタートパルスの転送方向を線対称にして転送駆動することを特徴とする。
【００１７】
本発明の他の態様に係る電気光学装置は、
各画素に電気光学素子を有し、境界線を境にして第１画面と第２画面とに分割された画面と、
前記第１画面内にて前記境界線と平行な複数の第１データ線を駆動する第１データ線ドライバと、
前記第２画面内にて前記境界線と平行な複数の第２データ線を駆動する第２データ線ドライバと、
を有し、
前記第１データ線ドライバは、第１スタートパルスを転送する第１シフトレジスタを有し、
前記第２データ線ドライバは、第２スタートパルスを転送する第２シフトレジスタを有し、
前記第１，第２シフトレジスタは、前記境界線を境にして、前記第１，第２スタートパルスを線対称にて転送駆動することを特徴とする。
【００１８】
本発明の一態様及び他の態様によれば、第１，第２画面の境界線を境にして、第１，第２シフトレジスタにて前記第１，第２スタートパルスの転送方向を線対称にして転送駆動しているので、画面を９０度または１８０度回転させても、画面の境界線に対する線対称駆動は不変となる。よって、画面を回転させても、第１，第２データ線ドライバでのスタートパルス転送方向を変更する必要がない。
【００１９】
より具体的には、前記第１画面にて前記境界線と平行な第１側辺から前記境界線に向かう方向を第１転送方向とし、前記境界線から前記第１側辺に向かう方向を第２転送方向とし、前記第２画面にて前記境界線と平行な第２側辺から前記境界線に向かう方向を第３転送方向とし、前記境界線から前記第２側辺に向かう方向を第４転送方向としたとき、
前記第１シフトレジスタが前記第１スタートパルスを前記第１転送方向に沿って転送するときには、前記第２シフトレジスタは前記第２スタートパルスを前記３転送方向に沿って転送し、あるいは、前記第１シフトレジスタが前記第１スタートパルスを前記第２転送方向に沿って転送するときには、前記第２シフトレジスタは前記第２スタートパルスを前記４走査方向に沿って転送する。
【００２０】
本発明の一態様および他の態様では、前記第１データ線ドライバは、前記第１画面を前記第１転送方向と同じ向きの第１走査方向に沿って、一画素毎または複数画素毎に順次駆動するときには、前記第２画面を前記第３転送方向と同じ向きの第３走査方向に沿って、一画素毎または複数画素毎に順次駆動し、あるいは、前記第１画面を前記第２転送方向と同じ向きの第２走査方向に沿って、一画素毎または複数画素毎に順次駆動するときには、前記第２画面を前記第４転送方向と同じ向きの第４走査方向に沿って、一画素毎または複数画素毎に順次駆動して、前記境界線を境にして、前記第１，第２画面の走査方向を線対称にして走査駆動することができる。
【００２１】
こうすると、境界線付近の画素の書き込みタイミングは第１，第２画面でほぼ等しくなり、境界線付近で輝度差が生ずることが低減する。
【００２２】
本発明の一態様及び他の態様では、前記第１シフトレジスタは前記第１，第２転送方向の一方に固定され、前記第２シフトレジスタでは前記第３，第４転送方向の一方に固定することができる。これにより、スタートパルスの転送方向を切替えるための双方向シフトレジスタや切替え信号が不要となる。よって、ゲート数が低減して消費電力を低減でき、シフトレジスタの小型化により基板面積を小さくできる。
【００２３】
本発明の一態様及び他の態様では、前記第１シフトレジスタは前記第２転送方向に固定され、前記第２シフトレジスタは前記第４転送方向に固定することができる。こうすると、スタートパルス等の配線を基板の中心に集約でき、第１，第２画面で制御パルスを兼用して、基板サイズをより縮小できる。例えば、前記第１，第２スタートパルスとして同相パルスを兼用することができる。
【００２４】
本発明の他の態様では、前記画面及び前記第１，第２データ線ドライバが搭載される基板を有し、
前記基板は、
前記第１シフトレジスタの出力に基づいてデータをサンプリングする複数の第１サンプリングスイッチと、
前記第２シフトレジスタの出力に基づいてデータをサンプリングする複数の第２サンプリングスイッチと、
前記第１サンプリングスイッチに供給されるデータが入力される第１データ端子群と、
前記第２サンプリングスイッチに供給されるデータが入力される第２データ端子群と、
前記第１データ端子群から前記第１シフトレジスタを迂回して前記第１サンプリングスイッチに引き回された第１データ配線パターンと、
前記第２データ端子群から前記第２シフトレジスタを迂回して前記第２サンプリングスイッチに引き回された第２データ配線パターンと、
を有することができる。
【００２５】
この第１，第２サンプリングスイッチの出力でデータ線を駆動すると、一走査線上の全画素は複数画素を一ブロックとしてブロック順次駆動されることになる。この場合でも、第１，第２画面でデータ線走査方向が線対称となるので、境界線にて輝度差が生ずることはない。
【００２６】
また、第１，第２データ配線パターンは基板中心に対して線対称配置とすることができ、配線引き回しが最短となって信号遅延を低減できる。
【００２７】
本発明の他の態様では、前記第１データ配線パターンは、
前記第１データ端子群に接続された第１データ配線群を直交変換する第１直交変換領域と、
前記第１直交変換領域に接続され、前記基板の一辺と前記第１シフトレジスタとの間にて、前記第１データ配線群を前記境界線と平行に延在させる第１縦配列領域と、
前記第１縦配列領域に接続され、前記データ配線郡を前記複数の第１サンプリングスイッチに沿って延在させる第１横配列領域と、
を有し、
前記第２データ配線パターンは、
前記第２データ端子群に接続された第２データ配線群を直交変換する第２直交変換領域と、
前記第２直交変換領域に接続され、前記基板の前記一辺に平行な他辺と前記第２シフトレジスタとの間にて、前記第２データ配線群を前記境界線と平行に延在させる第２縦配列領域と、
前記第２縦配列領域に接続され、前記データ配線群を前記複数の第２サンプリングスイッチに沿って延在させる第２横配列領域と、
を有することができる。
【００２８】
画面分割をしない場合と対比すると、第１，第２直交変換領域及び第１，第２横配列領域に位置するデータ配線のライン＆スペースの本数が半減するので、基板サイズの大幅な小型化が実現できる。
【００２９】
本発明の他の態様では、前記第１，第２データ端子群にそれぞれ供給されるデータは、データがシリアル−パラレル変換された後のＮ（Ｎは２以上の整数）個のパラレルデータとすることができる。
【００３０】
高精細駆動ほどパラレルデータ数が多くなるが、パラレルデータ数が多くなるほど、画面非分割のタイプと比較した時の基板縮小効果は顕著となる。
【００３１】
本発明の他の態様では、前記第１，第２画面の各１フィールドが時間軸上で複数のサブフィールドに分割され、
前記第１，第２データ端子群に供給されるデータは、前記１フィールド中に前記電気光学素子に印加される電圧パルスの印加時間を制御して階調駆動するためのデジタルデータとすることができる。
【００３２】
こうして、各サブフィールドでは２値駆動しながら、１フィールド中にて画素を階調駆動することができる。
【００３３】
本発明の他の態様では、前記第１データ線ドライバは、前記第１サンプリングスイッチと、その出力をラッチするラッチ素子とを含む第１ラッチを有し、
前記第２データ線ドライバは、前記第２サンプリングスイッチと、その出力をラッチするラッチ素子とを含む第２ラッチを有し、
前記第１，第２ラッチの各々は、Ｍ（Ｍは２以上の整数）回に分けて順次入力される各Ｎ個の前記パラレルデータを、Ｍ回の各回毎にラッチすることができる。
【００３４】
この第１，第２ラッチの出力でデータ線を駆動すると、一走査線上の全画素は複数画素を一ブロックとしてブロック順次駆動されることになる。この場合でも、第１，第２画面でデータ線走査方向が線対称となるので、境界線にて輝度差が生ずることはない。
【００３５】
本発明の他の態様では、前記第１ラッチに接続され、Ｎ個ずつＭ回に分けて前記第１ラッチにてラッチされた計（Ｎ×Ｍ）個のデータを、一度に同時にラッチする第３ラッチと、
前記第２ラッチに接続され、Ｎ個ずつＭ回に分けて前記第２ラッチにてラッチされた計（Ｎ×Ｍ）個のデータを、一度に同時にラッチする第４ラッチと、
をさらに有することができる。
【００３６】
この場合、第１，第２画面は線順次駆動となって、境界線での輝度差は生じないが、画面を回転させてもスタートパルスの転送方向を切替えなくて済む効果を奏することができる。
【００３７】
本発明の他の態様では、前記Ｎ個のパラレルデータはデジタルデータに限らずアナログデータとすることができる。
【００３８】
本発明のさらに他の態様は、上述した特徴を備えた電気光学装置を有する電子機器を定義している。
【発明を実施するための最良の形態】
【００３９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００４０】
１．電気光学装置
図１に電気光学装置例えば液晶装置を示す。図１に示す液晶装置は、基板１０上に、一画面２０を、境界線２２を境にして左右で例えば二分割した第１画面２４と第２画面２６とを有する。この第１画面２４及び第２画面２６の各々は、走査線３０とデータ線３２との交差付近に画素３４を有する。各画素３４は、走査線３０とデータ線とに接続された画素スイッチ例えばＮ型トランジスタ３６と、Ｎ型トランジスタ３６に接続された保持容量３８及び液晶４０を有する。なお、液晶４０は基板１０とその対向基板との間に封入されている。
【００４１】
なお、本実施形態では、画面２０内には、図１のＸ方向（第１方向）に沿って８８０個の画素３４を有する。境界線２２によって二分された第１，第２画面２４，２６の各々には、Ｘ方向で４４０個の画素３４を有することになる。
【００４２】
第１走査線ドライバ５０は第１画面２４の複数の走査線３０を駆動し、第２走査線ドライバ５２は第２画面２６の走査線３０を駆動する。第１データ線ドライバ６０は第１画面２４の第１データ線３２Ａを駆動し、第２データ線ドライバ６２は第２画面２６の第２データ線３２Ｂを駆動する。
【００４３】
液晶装置は、基板１０の外部に周辺駆動回路を接続することができる。本実施形態では、データ処理回路７０と、第１フィールドバッファ８０及び第２フィールドバッファ８２と、タイミングコントローラ９０と、が接続されている。データ処理回路７０は、後述する通り、データをシリアル−パラレル変換して、第１，第２画面２４，２６に対してそれぞれＮ（Ｎは２以上の整数で、例えばＮ＝４０）個のパラレルデータに相展開するシリアル−パラレル（Ｓ／Ｐ）変換回路７２を有する。データ処理回路７０はさらに、後述するように、第１，第２画面２４，２６の各１フィールドが時間軸上で複数のサブフィールドに分割され、各１フィールド中に電気光学素子（液晶４０）に印加される電圧パルスの印加時間を制御するデジタルデータを生成するデータコーディング回路７４を有する。なお、Ｓ／Ｐ変換回路７２及びデータコーディング回路７４はそれぞれ公知であるので詳細な説明は省略する。
【００４４】
第１フィールドメモリ８０は、第１データ線ドライバ６０に供給されるデータを蓄え、第２フィールドメモリ８２は、第２データ線ドライバ６２に供給されるデータを蓄える。
【００４５】
タイミングコントローラ９０は、各種のタイミング信号を生成して出力する。そのタイミング信号として、第１，第２走査線ドライバ５０，５２内のシフトレジスタに供給されるＹ方向スタートパルスＹＳＰとＹ方向クロック信号ＣＬＹがある。これにより、第１，第２走査線ドライバ５０，５２は、走査線３０を例えば上側から１本ずつ選択する。これにより、第１，第２画面２４，２６ではそれぞれ、Ｘ方向に沿った一ライン上の４４０個の画素３４の画素スイッチ３６が一斉にオンされ、データ線３２のデータ電圧が保持容量３８及び液晶４０に印加される。
【００４６】
タイミングコントローラ９０は、第１，第２フィールドバッファ８０，８２での書き込み／読み出しタイミングを制御する。この他、タイミングコントローラ９０は、第１，第２データ線ドライバ６０，６２内のシフトレジスタにもＸ方向のスタートパルスＸＳＰとＸ方向クロック信号ＣＬＸを供給するが、これについては詳細を後述する。
【００４７】
２．各画面での水平走査方向及びクロック転送方向
図１に示すように、境界線２２と直交する水平走査方向Ｘに沿って、第１画面２４にて境界線２２と平行な第１側辺２８から境界線２２に向かう方向を第１走査方向Ｘ１とし、境界線２２から第１側辺２８に向かう方向を第２走査方向Ｘ２とする。同じく水平走査方向Ｘに沿って、第２画面２６にて境界線２２と平行な第２側辺２９から境界線２２に向かう方向を第３走査方向Ｘ３とし、境界線２２から第２側辺２９に向かう方向を第４走査方向Ｘ４とする。
【００４８】
本実施形態では、第１画面２４を第１走査方向Ｘ１に沿って駆動するときには、第２画面２６を第３走査方向Ｘ３に沿って駆動する。つまり、第１，第２画面２４，２６では、一水平走査期間（１Ｈ）内にて時分割（点順次またはブロック順次）で一走査線上の画素３４にデータが書き込まれる順番が、共に境界線２２に向かう順番で線対称駆動される。こうすると、第１，第２画面２４，２６共に、境界線２２近くの画素３４は、一水平走査期間（１Ｈ）の最後にデータが書き込まれる。よって、書き込み時間差に起因した輝度差が境界線２２付近に発生することはない。
【００４９】
これに代えて、本実施形態では、第１画面２４を第２走査方向Ｘ２に沿って駆動するときには、第２画面２６を第４走査方向Ｘ４に沿って駆動する。つまり、第１，第２画面２４，２６では、一水平走査期間（１Ｈ）内にて時分割（点順次またはブロック順次）で一走査線上の画素３４にデータが書き込まれる順番が、共に境界線２２から遠ざかる順番で線対称駆動される。こうすると、第１，第２画面２４，２６共に、境界線２２近くの画素３４は、一水平走査期間（１Ｈ）の最初にデータが書き込まれる。よって、書き込み時間差に起因した輝度差が境界線２２付近に発生することはない。
【００５０】
本実施形態は、図２（Ａ）及び図２（Ｂ）に示すように、画面２０を９０度回転させても、水平走査方向（Ｘ方向）を変換する必要性がなくなる。つまり、図２（Ａ）及び図２（Ｂ）にて実線で示すように、例えば、第１データ線ドライバ６０が第１走査方向Ｘ１、第２データ線ドライバが第３走査方向Ｘ３となるように線対称駆動すると、この関係は画面を９０度回転させても変化がない。よって、画面２０を９０度または１８０度回転させても、水平走査方向（Ｘ方向）にて走査方向を変換する必要性は全く生じない。この作用は、境界線２２付近での輝度差が生じる点順次駆動やブロック順次駆動に限らず、線順次駆動の場合にも有効である。この意味で、本実施形態は線順次駆動にも有効である。
【００５１】
これに対して、図２（Ａ）及び図２（Ｂ）にて破線で示す比較例のように、第１，第２データ線ドライバ６０，６２が同一方向（第１，第４走査方向Ｘ１，Ｘ４）に水平走査する場合には、画面２０を９０度回転する前と後では、図２（Ａ）及び図２（Ｂ）の縦方向にて走査方向が全く逆になる。このため、図２（Ｂ）では第１，第２データ線ドライバ６０，６２での走査方向を逆に切り替えて、共に上から下に走査する方向（つまり第２，第３走査方向Ｘ２，Ｘ３）に切替える必要性が生ずる。このため、特許文献１に示すような双方向シフトレジスタが第１，第２データ線ドライバ６０，６２に必要となってしまう。
【００５２】
なお、本実施形態では、第１，第２走査線ドライバ５０，５２については、双方向ドライバとしても良い。こうすると、図２（Ａ）の画面を上下逆転させても上から下に垂直走査できる。また、図２（Ｂ）の画面２０を上下逆転させて配置した場合でも、Ｙ方向（垂直走査方向）では左から右に走査できる。
【００５３】
３．データ線ドライバ
第１，第２データ線ドライバ６０，６２の詳細について、図３及び図４を参照して説明する。図３において、第１データ線ドライバ６０は、例えば第２走査方向（第２転送方向）Ｘ２に沿って第１スタートパルスＸＳＰ１を、Ｘ方向クロックＣＬＸ１で転送する第１シフトレジスタ１００を有する。第２データ線ドライバ６２は、例えば第４走査方向（第４転送方向）Ｘ４に沿って第２スタートパルスＸＳＰ２を、Ｘ方向クロックＣＬＸ２で転送する第２シフトレジスタ１１０を有する。第１，第２シフトレジスタ１００，１１０の各々は、Ｍ＝１１段のフリップフロップ１０１をＸ方向に沿って備えている。なお、第１，第２スタートパルスＸＳＰ１，ＸＳＰ２は同相の信号で兼用しても良い。また、各Ｘ方向クロックＣＬＸ１，ＣＬＸ２を同相の信号で兼用しても良い。なお、クロックＣＬＸＢ１はクロックＣＬＸ１の反転クロックであり、クロックＣＬＸＢ２はクロックＣＬＸ２の反転クロックである。
【００５４】
第１データ線ドライバ６０は、第１シフトレジスタ１００の出力に基づいて、Ｍ（Ｍは２以上の整数で、本実施形態ではＭ＝１１）回に分けて順次入力される各Ｎ個（例えばＮ＝４０）のパラレルデータを、Ｍ回の各回でラッチする第１ラッチ１２０を有する。同様に、第２データ線ドライバ６２は、第２シフトレジスタ１１０の出力に基づいて、Ｍ回に分けて順次入力される各Ｎ個のパラレルデータを、Ｍ回の各回でラッチする第２ラッチ１３０を有する。
【００５５】
また、基板１０の端部には、第１ラッチ１００に供給されるデータが入力される第１データ端子群１６０と、第２ラッチ１３０に供給されるデータが入力される第２データ端子群１７０とが設けられている。第１データ端子群１６０から前記第１ラッチ１２０に引き回された第１データ配線群１８０と、第２データ端子群１７０から第２ラッチ１３０に引き回された第２データ配線群１９０と、が設けられている。なお、第１，第２データ配線群１８０，１９０の各々は、Ｎ＝４０本のデータ配線から成る。
【００５６】
さらに、第１データ線ドライバ６０には、第１ラッチ１００に接続され、Ｎ個ずつＭ回に分けて第１ラッチ１００にてラッチされた計（Ｎ×Ｍ）＝４０×１１＝４４０個のデータを、一度に同時にラッチする第３ラッチ１４０が設けられている。第２データ線ドライバ６２には、第２ラッチ１３０に接続され、Ｎ個ずつＭ回に分けて第２ラッチ１３０にてラッチされた計（Ｎ×Ｍ）個のデータを、一度に同時にラッチする第４ラッチ１５０が設けられている。
【００５７】
図４は、第１データ線ドライバ６０の第１，第３ラッチ１２０，１４０を示している。なお、第２データ線ドライバ６２の第２，第４ラッチ１３０，１５０も図４とは左右対称の同一の構成を有する。
【００５８】
図４において、第１ラッチ１２０は、第１シフトレジスタ１００の第１段目のフリップフロップ１０１からのラッチ出力Ｓ１が共通入力されるＮ＝４０個のフリップフッロプ１２１を備えている。第１シフトレジスタ１００の第２−第Ｍ段の各段のフリップフロップ１０１からのラッチ出力Ｓ２−ＳＭも、同様にそれぞれＮ＝４０個のフリップフロップ１２１に共通入力される。各フリップフロップ１２１は、第１データ配線群１８０の１本に接続された例えばトランスファーゲートから成るサンプリングスイッチ１２２と、そのサンプリング出力を保持するラッチ素子１２３とを有する。
【００５９】
第３ラッチ１４０は、第１−第Ｍ段の各々にて、フリップフロップ１２１と同様な構成を有するフリップフロップ１４１を有している。第３ラッチ１４０は、第１−第Ｍ段の各々にて、Ｎ＝４０個のフリップフロップ１４１を有する。第３ラッチ１４０が第１ラッチ１２０と相違する点は、全てのフリップフロップ１３１内のサンプリングスイッチ１３２が、Ｘ方向ラッチパルスＸＬＰによって同時にオンされることである。なお、図３に示すＸ方向ラッチパルスＸＬＰ１，ＸＬＰ２は同相のラッチパルスを兼用しても良い。また、ラッチパルスＸＬＰ１ＢはラッチパルスＸＬＰ１の反転ラッチパルスであり、ラッチパルスＸＬＰ２ＢはラッチパルスＸＬＰ２の反転ラッチパルスである。
【００６０】
ここで、本実施形態は第３，第４ラッチ１４０，１５０を有しているので、第１，第２画面２４，２６に対して線順次駆動でき、上述したように、境界線２２で輝度差が生ずることはない。ただし、第３，第４ラッチ１４０，１５０を排除すると、第１，第２ラッチ１２０，１３０からの出力は、４０画素分のデータを一ブロックとして同時出力する動作をＭ回繰り返すので、ブロック順次駆動となる。この場合には、第１，第２データ線ドライバ６０，６２が上述した線対称駆動を行なうことで、境界線２２で輝度差が生ずることはない。
【００６１】
４．データの相展開（シリアル−パラレル変換）と水平走査方向に応じたデータ配列
図１に示すデータ処理回路７０内のＳ／Ｐ変換回路７２の動作を、図５に概念的に示す。このＳ／Ｐ変換回路７２は、図１に示す第１，第２画面２４，２６の各画面のためのシリアルデータを、図５に示すように、Ｎ＝４０個のパラレルデータに変換するものである。なお、Ｎ＝４０個のパラレルデータは必ずしも同相でなくてもよく、第１，第２ラッチ１００，１１０にて同時にサンプリングできるデータ区間を有していれば良い。本実施形態では、第１，第２画面２４，２６に供給されるデータを４０相に相展開しているので、図３に示す第１，第２データ端子群１６０，１７０の各々の端子数はＮ＝４０個となる。
【００６２】
図６は、図１に示す第１，第２フィールドメモリ８０，８２と第１，第２データ端子群１６０，１７０との関係を示す概念図である。図６に示すように、第１フィールドメモリ８０より同時にＮ＝４０個のデータＤ１−Ｄ４０が、第２フィールドメモリ８２より同時にＮ＝４０個のデータＤ４１−Ｄ８０が読み出され、第１，第２データ端子群１６０，１７０に同時に供給される。この動作を第１，第２フィールドメモリ８０，８２のＹ方向アドレスを順次インクリメントしながらＭ＝１１回繰り返すと、一画面２０のＸ方向の全画素（Ｎ×Ｍ×２＝４０×１１×２＝８８０画素）分のデータを供給できる。さらにこの動作を、一画面２０の走査線本数（ｍ本）分だけ繰り返せば、１サブフィールド分のデータを供給できる。
【００６３】
図７は、第３，第４ラッチ１４０，１５０を削除した場合のようなブロック順次駆動の場合の第１，第２のフィールドメモリ８０，８２の動作を概念的に示している。図７では説明の便宜上、第１，第２画面２４，２６に対する層展開数Ｎ＝４０で、第１，第２画面２４，２６に対するブロック順次駆動回数Ｍ＝４とした。第１，第２画面２４，２６のＸ方向の画素数はＮ×Ｍ＝１６０であり、一画面２０のＸ方向の全画素数＝Ｎ×Ｍ×２＝３２０とした。図７に示すように、第１，第２フィールドメモリ８０，８２からの読み出し順序を設定することで、図７では第１，第３走査方向Ｘ１，Ｘ３の組み合わせによる線対称駆動を実現した。こうすると、境界線２２付近の第１，第２画面２４，２６の画素は、Ｍ＝４回目にて同時にブロック順次駆動されるので、境界線２２付近での輝度差を解消できる。
【００６４】
５．サブフィールド駆動
本実施形態にて採用しているサブフィールド駆動について、図８を参照して簡単に説明する。前述したように、図１に示す第１，第２画面２４，２６の各１フィールドが、図８に示すように時間軸上でｎ（ｎは２以上の整数）個のサブフィールドＳｆ１−Ｓｆｎに分割されている。データコーディング回路７４は、各１フィールド中に電気光学素子（液晶４０）に印加される電圧パルスの印加時間を制御して、液晶４０を階調駆動するためのデジタルデータを生成する。
【００６５】
極性反転信号ＦＲは、１フィールド毎に極性が反転する信号である。Ｙ方向走査スタートパルスＳＰＹは、各サブフィールドの最初に出力されるパルス信号であり、これが第１，第２走査線ドライバ５０，５２に入力されることにより、第１，第２走査線ドライバ５０，５２は走査信号（Ｇ１〜Ｇｍ）を出力する。Ｙ方向の転送クロックＣＬＹは、垂直走査側（Ｙ側）の走査速度を規定する信号であり、走査信号（Ｇ１〜Ｇｍ）はこの転送クロックＣＬＹに同期して走査線３０に供給される。
【００６６】
Ｘ方向ラッチパルスＸＬＰは、第１，第２データ線ドライバ６０，６２中にある第３，第４ラッチ１４０，１５０に蓄えられた各４４０画素分のデータを同時に出力させるタイミングを決定するものである。データ転送クロックＣＬＸは、第１，第２のデータ線ドライバ６０，６２ヘデータを転送するためのクロック信号である。
【００６７】
図８では、Ｘ方向スタートパルスＸＳＰとラッチパルスＸＬＰを同相の信号で示しているが、これに限定されない。Ｘ方向スタートパルスＸＳＰが第１，第２シフトレジスタ１００，１１０に入力されると、Ｘ方向クロックＣＬＸに従った転送によって、ラッチ信号（サンプリング信号）Ｓ１，Ｓ２，…ＳＭが一水平走査期間（１Ｈ）内に順次出力される。これにより、第１，第２ラッチ１２０，１３０にてＮ＝４０個のデータが順次ラッチされる動作がＭ＝１１回繰り返される。これにより、第１，第２ラッチ１２０，１３０に各４４０個、計８８０個のデータがラッチされる。この後にＸ方向ラッチパルスＸＬＰが第３，第４ラッチ１４０，１５０に入力されると、各４４０個で計８８０個のデータが第３，第４ラッチ１４０，１５０に同時にラッチされる。この８８０個のデータは、第１，第２データ線３２Ａ，３２Ｂに同時に供給されて、第１，第２画面２４，２６が線順次駆動される。
【００６８】
この動作を、走査信号Ｇ１−Ｇｍがアクティブになる毎に繰り返すことで最初のサブフィールドＳｆ１での駆動が完了する。以降、ｎ番目のサブフィールドＳｆｍまで繰り返すことで、１フィールド駆動が完了する。
【００６９】
なお、データコーディング回路７４では、表示データを２値化する際に、１フィールドのうちのどのサブフィールドであるかを認識する必要がある。本実施形態では、タイミングコントローラ９０で、Ｙ方向スタートパルスＹＳＰを計数し、その結果をサブフィールド識別信号としてデータコーディング回路７４に向けて出力するようになっている。
【００７０】
６．データ配線の引き回し
図３に示すように、第１データ端子群１６０から第１ラッチ１２０に引き回された第１データ配線群１８０と、第２データ端子群１７０から第２ラッチ１３０に引き回された第２データ配線群１９０とは、特殊な配線パターンを有している。
【００７１】
第１データ配線パターンは、第１データ端子群１６０に接続された第１データ配線群１９０をＹ方向（第２方向）からＸ方向（第１方向）に直交変換する第１直交変換領域１８０Ａを有する。また、第１配線パターンは、第１直交変換領域１８０Ａに接続され、基板１０の一辺１２と第１シフトレジスタ１００との間にて、第１データ配線群１９０をＹ方向（第２方向）に沿って延在させる第１縦配列領域１８０Ｂを有する。さらに第１データ線配線パターンは、第１縦配列領域１８０Ｂに接続され、データ配線郡１８０を第１ラッチ１２０（第１サンプリングスイッチ１２１）に向けて延在させる第１横配列領域１８０Ｃを有する。
【００７２】
第２データ配線パターンも同様に、第２直交変換領域１９０Ａと、基板１０の一辺１２に平行な他辺１４と第２シフトレジスタ１１０との間にて第２データ配線群１９０をＹ方向（第２方向）に沿って延在させる第２縦配列領域１９０Ｂと、第２横配列領域１９０Ｃと、を有する。
【００７３】
ここで、図９に分割駆動しないタイプを比較例として示す。画面２０に対して一つ設けられたデータ線ドライバ２００は、シフトレジスタ２１０と２つのラッチ２２０，２３０を有する。相展開数２Ｎ＝８０とし、Ｍ＝１１として一走査線上の全画素数８８０は本実施形態と同じとする。この場合、データ端子群２４０には８０個の端子が設けられ、それに８０本のデータ配線群２５０が接続される。この場合も、シフトレジスタ２１０を迂回してラッチ２２０にデータ線配線２５０を引き回すには、直交変換領域２５０Ａ、縦配列領域２５０Ｂ及び横配列領域２５０Ｃを設ける必要がある。
【００７４】
図３と図９とを対比すると、図３の第１，第２直交変換領域１８０Ａ，１９０ＡのＹ方向高さは第１，第２データ配線群１８０，１９０のライン＆スペースが各４０本分の高さであるのに対して、図９の直交変換領域２５０ＡでのＹ方向高さはデータ配線群２５０のライン＆スペースが８０本分必要である。加えて、図３の第１，第２横配列領域１８０Ｃ，１９０ＣのＹ方向高さは第１，第２データ配線群１８０，１９０のライン＆スペースが各４０本分の高さであるのに対して、図９の横配列領域２５０ＣでのＹ方向高さはデータ配線群２５０のライン＆スペースが８０本分必要である。図３と図９ではシフトレジスタと２つのラッチが占めるＹ方向高さは同一である。従って、図３では、図９と対比して、基板１０上にて画面２０以外が占有する額縁領域のＹ方向高さは、データ配線群のライン＆スペースで８０本分小さくできるという効果がある。
【００７５】
図３と図９とを別の観点から対比すると、図３の第１，第２データ配線群１８０，１９０は画面２０の中心線に対して線対称であるのに対して、図９では右側に偏った配置となり、画面２０の中心線に対して線対称配置することができない。図９では基板１０のＹ方向高さも大きくなることから、大型ガラス基板上に製造できる液晶マトリクス基板の枚数が少なくなりスループットが低下する。
【００７６】
加えて、図９ではデータ配線群２５０を線対称配置できないので、配線遅延の問題も無視できない。
【００７７】
さらには、図９では分割駆動しないので特許文献１のようにデータ線ドライバ２００のシフトレジスタ２１０は双方向駆動を要する。この場合、特許文献１に記載された走査方向切替えのための制御信号線が少なくとも２本必要であるが、図３ではその種の制御信号線は不要である。
【００７８】
なお、図３は図１示す第２転送方向Ｘ２と第４転送方向Ｘ４との組み合わせであるが、第１転送方向Ｘ１と第３転送方向Ｘ３の組み合わせと対比して、基板１０のＸ方向サイズを短縮できる。なぜなら、図３のＸ方向スタートパルスＸＳＰ１，ＸＳＰ２を共用し、Ｘ方向ラッチパルスＸＬＰ１，ＸＬＰ２を共用し、Ｘ方向反転ラッチパルスＸＬＰ１Ｂ，ＸＬＰ２Ｂを共用できるからである。左右の２つの領域に対してパルスの共用が可能になる理由は、これらパルスの供給線を、基板１０の中心に集中して配線できるからである。
【００７９】
７．アナログ駆動の例
上述した実施形態は、第１，第２データ線ドライバ６０，６２がデジタル駆動であったが、アナログ駆動に置き換えても良い。図１０は、図３に示す第１データ線ドライバ６０をアナログ駆動に変更したものである。この場合、図３の第１，第３ラッチ１２０，１３０に代えて、図１０に示すようなサンプリングスイッチ１２５を設ければよい。サンプリングスイッチ１２５の数は、図４に示す第１ラッチ１２０内のサンプリングスイッチ１２２と同じである。サンプリングスイッチ１２５はアナログスイッチである点のみが図３のサンプリングスイッチ１２２と異なる以外、動作上は同一である。
【００８０】
なお、図１０に示すアナログ駆動の場合の動作は。図３から第３ラッチ１４０を削除した場合のブロック順次駆動と同じである。従って、アナログ駆動の第１，第２データ線ドライバ６０，６２を線対称駆動することで、境界線２２上での輝度差を低減できる。
【００８１】
８．電子機器
本実施形態では、本発明の電気光学装置を搭載した電子機器の例について説明する。
【００８２】
（プロジェクタ）
まず、本発明の電気光学装置をライトバルブとして用いたプロジェクタについて説明する。図１１は、本発明の電気光学装置（反射型液晶装置）を搭載したプロジェクタの全体構成を示す図である。図示されるように、プロジェクタ１１００内部には、偏光照明装置１１１０がシステム光軸ＰＬに沿って配置されている。この偏光照明装置１１１０において、ランプ１１１２からの出射光は、リフレクタ１１１４による反射で略平行な光束となって、第１のインテグレータレンズ１１２０に入射する。これにより、ランプ１１１２からの出射光は、複数の中間光束に分割される。この分割された中間光束は、第２のインテグレータレンズを光入射側に有する偏光変換素子１１３０によって、偏光方向が略々揃った一種類の偏光光束（ｓ偏光光束）に変換されて、偏光照明装置１１１０から出射される。
【００８３】
偏光照明装置１１１０から出射されたｓ偏光光束は、偏光ビームスプリッタ１１４０のｓ偏光光束反射面１１４１によって反射される。この反射光束のうち、青色光（Ｂ）の光束がダイクロイックミラー１１５１の青色光反射層にて反射され、反射型の電気光学装置１０Ｂによって変調される。また、ダイクロイックミラー１１５１の青色光反射層を透過した光束のうち、赤色光（Ｒ）の光束は、ダイクロイックミラー１１５２の赤色光反射層にて反射され、反射型の液電気光学装置１０００Ｒによって変調される。
【００８４】
一方、ダイクロイックミラー１１５１の青色光反射層を透過した光束のうち、緑色光（Ｇ）の光束は、ダイクロイックミラー１１５２の赤色光反射層を透過して、反射型の電気光学装置１００Ｇによって変調される。
【００８５】
このようにして、電気光学装置１０００Ｒ、１０００Ｇ、１０００Ｂによってそれぞれ色光変調された赤色、緑色、青色の光は、ダイクロイックミラー１１５２、１１５１、偏光ビームスプリッタ１１４０によって順次合成された後、投射光学系１１６０によって、スクリーン１１７０に投射されることとなる。なお、電気光学装置１０００Ｒ、１０００Ｂおよび１０００Ｇには、ダイクロイックミラー１１５１、１１５２によって、Ｒ、Ｇ、Ｂの各原色に対応する光束が入射するので、カラーフィルタは必要ない。
【００８６】
上述のとおり、本発明の電気光学装置（１０００Ｒ、１０００Ｇ、１０００Ｂ）は、サブフィールド数を増加させることなく、より細かな階調表現が可能である。よって、図１１のプロジェクタは、低消費電力性を維持しつつ、より高精細な画像表示が可能であり、例えば、ホームシアター用のプロジェクタとして有用である。
【００８７】
なお、上述の例では反射型の電気光学装置を用いたが、透過型表示の電気光学装置を用いたプロジェクタとすることもできる。
【００８８】
（モバイル型コンピュータ）
次に、本発明の電気光学装置を、モバイル型のパーソナルコンピュータに適用した例について説明する。図１２は、本発明の電気光学機器を搭載したパーソナルコンピュータの構成を示す斜視図である。
【００８９】
図１２において、コンピュータ１２００は、キーボード１２０２を備えた本体部１２０４と、表示ユニット１２０６とから構成されている。この表示ユニット１２０６は、上述した実施形態が適用される電気光学装置１０００の前面にフロントライトを付加することにより構成されている。なお、この構成では、電気光学装置１０００を反射直視型として用いることになるので、画素電極１１８において、反射光が様々な方向に散乱するように、凹凸が形成される構成が望ましい。
【００９０】
（携帯電話端末）
図１３は、本発明の電気光学装置１０００を搭載した携帯電話端末の概観を示す斜視図である。携帯電話端末１３００は、複数の操作キー１３０２と、スピーカ１３０４と、マイク１３０６と、本発明の電気光学装置１０００と、を備える。
【００９１】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【図面の簡単な説明】
【００９２】
【図１】本発明の実施形態に係る電気光学装置の概略ブロック図である。
【図２】図２（Ａ）は電気光学装置の画面を横置きとし、図２（Ｂ）は縦置きとした状態をそれぞれ示す概略説明図である。
【図３】図１に示す基板上の配置を示す概略説明図である。
【図４】図３に示す第１，第３ラッチの回路図である。
【図５】データのシリアル−パラレル変換を概念的に示す図である。
【図６】図１に示す第１，第２フィールドメモリへのデータ記憶状態の一例を示す図である。
【図７】第１，第２データ線ドライバによる線対称のブロック順次駆動時の第１，第２フィールドメモリからの読み出し順序を説明するための概略説明図である。
【図８】実施形態に係る電気光学装置の動作タイミングチャートである。
【図９】画面分割駆動を実施しない比較例の概略説明図である。
【図１０】図３に示す第１データ線ドライバをアナログ駆動とした変形例を示す回路図である。
【図１１】本発明に係る電子機器の一例であるプロジェクタの概略説明図である
【図１２】本発明に係る電子機器の他の一例であるパーソナルコンピュータの概略図である。
【図１３】本発明に係る電子機器のさらに他の一例である携帯電話機の概略図である
【符号の説明】
【００９３】
１０  基板、１２  基板の一側辺、１４  基盤の他の側辺、２０  画面、２２  境界線、
２４  第１画面、２６  第２画面、２８  画面の一側辺、２９  画面の他の側辺、
３０走査線、３２，３２Ａ，３２Ｂ  データ線、３４  画素、３６  画素スイッチ、
３８  保持容量、４０  液晶  電気光学素子、５０  第１走査線ドライバ、
５２  第２走査線ドライバ、６０  第１データ線ドライバ、
６２  第２データ線ドライバ、７０  データ処理回路、
７２  シリアル−パラレル（Ｓ／Ｐ）変換回路、７４  データでコーディング回路、
８０  第１フィールドメモリ、８２  第２フィールドメモリ、
９０  タイミングコントローラ、１００  第１シフトレジスタ、
１１０  第２シフトレジスタ、１２０  第１ラッチ、１２１  フリップフロップ、
１２２，１２５  サンプリングスイッチ、１２３  ラッチ素子、１３０  第２ラッチ、
１３１  フリップフロップ、１４０  第３ラッチ、１５０  第４ラッチ、
１６０  第１データ端子群、１７０  第２データ端子群、１８０  第１データ配線群、
１８０Ａ  第１直行変換領域、１８０Ｂ  第１縦配列領域、１８０Ｃ  第１横配列領域、
１９０  第２データ配線群、１９０Ａ  第２直交変換領域、１９０Ｂ  第２縦配列領域、
１９０Ｃ  第２横配列領域、
１０００，１０００Ｒ，１０００Ｇ，１０００Ｂ  電気光学装置、
Ｘ１  第１走査方向（第１転送方向）、Ｘ２  第２走査方向（第２転送方向）、
Ｘ３  第３走査方向（第３転送方向）、Ｘ４  第４走査方向（第４転送方向）、
ＸＳＰ１  第１スタートパルス、ＸＳＰ２  第２スタートパルス
【図１】
2008151824.tif 000003
【図２】
2008151824.tif 000004
【図３】
2008151824.tif 000005
【図４】
2008151824.tif 000006
【図５】
2008151824.tif 000007
【図６】
2008151824.tif 000008
【図７】
2008151824.tif 000009
【図８】
2008151824.tif 000010
【図９】
2008151824.tif 000011
【図１０】
2008151824.tif 000012
【図１１】
2008151824.tif 000013
【図１２】
2008151824.tif 000014
【図１３】
2008151824.tif 000015